(57)【要約】【課題】本考案は、ピック支持部材を上下に平行移動させるように駆動して、シリンダ錠内部の各ピンタンブラーに対するピックの作動が有効に行われるようにしたピックガンを提供することを課題とする。【解決手段】ピストル型のピックガンにおいて、ピック１９を支持するピック支持部材１６が、前後一対の鉛直案内棒１７ａ，１７ｂにより案内されて上下に平行移動できるように構成されており、このピック支持部材１６を駆動する上下動部材１２は、引き金４の作動によりリンク５，６を介して下方へ駆動されるλ型部材８にフランジ１２ａを一時的に係合されるのに伴って、バネ１５の作用により弾発的に上下動する。【選択図】　図１
0003098235.tif 000002
【実用新案登録請求の範囲】
【請求項１】
握り部を備えるとともに引き金を枢着されたピストル型の本体において、上記引き金の回動操作に伴い弾性的に駆動されるピック支持部材を備え、同ピック支持部材の駆動時に同ピック支持部材を水平状態で上下に平行移動させるための案内部材が設けられたことを特徴とする、ピックガン。
【請求項２】
上記案内部材として前後一対の鉛直案内棒が上記本体内に装着され、同鉛直案内棒が上記水平状態のピック支持部材の前後部に形成された前部竪孔および後部竪孔にそれぞれ遊嵌されていることを特徴とする、請求項１に記載のピックガン。
【請求項３】
上記ピック支持部材を上記鉛直案内棒に沿い下方へ付勢するバネが設けられていることを特徴とする、請求項２に記載のピックガン。
【請求項４】
上記引き金の上端部に一端を枢着された第１リンクと、同第１リンクの他端に一端を枢着されるとともに他端を上記本体に枢着された第２リンクと、同第２リンクの中間部に上端を枢着されるとともに前部下端をバネで拘束されたλ型部材と、同λ型部材の揺動を案内するローラーとを備えるとともに、上記引き金の操作に伴い上記の第１リンクおよび第２リンクを介して揺動する上記λ型部材の前部下端に一時的に係合して下方へ駆動される上下動部材と、同上下動部材を常時上方へ付勢するバネとを備え、上記上下動部材の上端が上記ピック支持部材に対し駆動可能に係合していることを特徴とする、請求項２に記載のピックガン。
【請求項５】
上記上下動部材の上端が上記ピック支持部材に結合されていることを特徴とする、請求項４に記載のピックガン。
【考案の詳細な説明】
【０００１】
【考案の属する技術分野】
本考案は、キーを紛失した際のシリンダ錠の解錠作業において、同シリンダ錠の内筒を回動させる際に補助的に用いられるピストル型のピックガンに関する。
【０００２】
【従来の技術】
従来のピックガンとしては図２に示すようなものがあり、ピックａを止めねじｂを介して装着しうるＬ型のピック支持部材ｃが、本体ｄに支軸ｅを介して揺動可能に支持されている。そして、引き金ｆを引くことにより、リンク機構ｇの上端が、固定シリンダＭ内のピストンＰ付き駆動棒ｋのフランジｆに一時的に係合して、バネ機構ｈの弾発的作用を受ける駆動棒ｋを介し、ピック支持部材ｃが衝撃的に揺動し、これに伴い鍵穴に挿入されたピックａの先端部もシリンダ錠の鍵穴内で上下に円弧を画くように揺動して解錠作用を行うようになっている。
しかしながら、シリンダ錠の内部には通常数本のピンタンブラーが前後方向に列設されているので、ピックａの先端部が円弧を画いて上下に揺動したのでは、手前のピンタンブラーに対しては作用しにくいという不具合がある。
【０００３】
【考案が解決しようとする課題】
そこで本考案は、ピック支持部材を上下に平行移動させるように駆動して、シリンダ錠内部の各ピンタンブラーに対するピックの作動が有効に行われるようにしたピックガンを提供することを課題とする。
【０００４】
【課題を解決するための手段】
前述の課題を解決するため、本考案のピックガンは、握り部を備えるとともに引き金を枢着されたピストル型の本体において、上記引き金の回動操作に伴い弾性的に駆動されるピック支持部材を備え、同ピック支持部材の駆動時に同ピック支持部材を水平状態で上下に平行移動させるための案内部材が設けられたことを特徴としている。
【０００５】
また、本考案のピックガンは、上記案内部材として前後一対の鉛直案内棒が上記本体内に装着され、同鉛直案内棒が上記水平状態のピック支持部材の前後部に形成された前部竪孔および後部竪孔にそれぞれ遊嵌されていることを特徴としている。
【０００６】
さらに、本考案のピックガンは、上記ピック支持部材を上記鉛直案内棒に沿い下方へ付勢するバネが設けられていることを特徴としている。
【０００７】
また、本考案のピックガンは、上記引き金の上端部に一端を枢着された第１リンクと、同第１リンクの他端に一端を枢着されるとともに他端を上記本体に枢着された第２リンクと、同第２リンクの中間部に上端を枢着されるとともに前部下端をバネで拘束されたλ型部材と、同λ型部材の揺動を案内するローラーとを備えるとともに、上記引き金の操作に伴い上記の第１リンクおよび第２リンクを介して揺動する上記λ型部材の前部下端に一時的に係合して下方へ駆動される上下動部材と、同上下動部材を常時上方へ付勢するバネとを備え、上記上下動部材の上端が上記ピック支持部材に対し駆動可能に係合していることを特徴としている。
【０００８】
さらに、本考案のピックガンは、上記上下動部材の上端が上記ピック支持部材に結合されていることを特徴としている。
【０００９】
上述の本考案のピックガンでは、引き金を引くことにより、ピック支持部材が弾性的に駆動されて、案内部材に沿い水平状態で上下に平行移動するので、同ピック支持部材に支持されたピックも鍵穴内で上下に平行移動するようになる。これによりシリンダ錠の内部で前後に列設された各ピンタンブラーを、ピックでむらなく有効に叩くことができるので、解錠作業が能率よく行われるようになる。
【００１０】
また、上記案内部材が前後一対の鉛直案内棒として上記本体内に装着され、同鉛直案内棒が上記水平状態のピック支持部材における前部竪孔および後部竪孔にそれぞれ遊嵌されていると、上記ピック支持部材の水平状態での上下平行移動が上記引き金の作動に伴って安定よく確実に行われる利点がある。
【００１１】
そして、上記ピック支持部材を上記鉛直案内棒に沿い下方へ付勢するバネが設けられることにより、同ピック支持部材の上下平行移動が一層安定よく行われ、使い勝手も向上するようになる。
【００１２】
さらに、上記引き金の作動に伴い連動する第１リンクおよび第２リンクならびに同第２リンクの中間部に上端を枢着されたλ型部材が設けられて、同λ型部材の前部下端を弾性的に拘束するバネと、上記λ型部材の前部下端との一時的な係合によりバネに抗して下方へ駆動されるフランジを付設された上下動部材とを備え、同上下動部材の上端が上記ピック支持部材に対し駆動可能に係合していると、同ピック支持部材の水平状態での上下平行移動が、上記上下動部材で駆動されるようにして的確に行われるようになる。
【００１３】
また、上記上下動部材の上端が上記ピック支持部材に結合されている場合は、上記上下動部材の上下平行移動が、さらに的確に行われるようになる利点が得られる。
【００１４】
【考案の実施の形態】
以下、図面により本考案の一実施形態としてのピックガンについて説明すると、図１はその内部構造を示す側面図であって、ピストル型の本体１には、握り部２と、中間部を支軸３により枢着された引き金４とが設けられている。
【００１５】
そして、引き金４の上端部に一端を枢着された第１リンク５と、同第１リンク５の他端に一端を枢着された第２リンク６とが設けられ、第２リンク６の他端は支軸７により本体１に枢着されている。
【００１６】
また、第２リンク６の中間部にはλ型部材８の上端８ａが枢着され、さらにλ型部材８の前部下端８ｂは、バネ９により上方へ牽引されるように、同バネ９に係止されており、同バネ９の上端は支軸１０により本体１に係止されている。
そして、λ型部材８を揺動可能に案内するローラー１１が、本体１に枢着されている。
【００１７】
さらに、引き金４の回動操作に伴い第１リンク５および第２リンク６を介して揺動するλ型部材８の前部下端にフランジ１２ａを一時的に係合して下方へ駆動される上下動部材１２が、本体１の内部に装備されており、同上下動部材１２は、本体１に装着された案内部材１４により、その上下動を案内されるようになっている。
【００１８】
上下動部材１２は、バネ１５により常時上方へ付勢されており、上下動部材１２の上端には、本体１の上部内に水平に配設されたピック支持部材１６の下側が当接している。なお、バネ１５の調整は、本体１の下部内に定位置で回動可能に設けられたナット１５ａの回動操作により、同ナット１５ａに螺合する雄ねじ棒１５ｂの昇降により行われる。
【００１９】
そして、ピック支持部材１６を水平状態で上下に平行移動させるための案内部材として、前後一対の鉛直案内棒１７ａ，１７ｂが本体１の内部に装着され、これらの鉛直案内棒１７ａ，１７ｂは、ピック支持部材１６の前後部に形成された前部竪孔１６ａおよび後部竪孔１６ｂにそれぞれ遊嵌されている。
【００２０】
また、各鉛直案内棒１７ａ，１７ｂにはピック支持部材１６を下方へ付勢するバネ１８ａ，１８ｂが付設されている。なお、ピック支持部材１６は、その前端部に、ピック１９を取替え可能に装着される。
図示の例では、上下動部材１２の上端がピック支持部材１６の下側に当接しているが、上下動部材１２の上端をピック支持部材１６にネジ止めしたり溶接したりして、両者を一体に結合するようにしてもよい。そして、バネ１８ａ，１８ｂを省略することもできる。
【００２１】
上述の本実施形態のピックガンでは、引き金４の作動に伴い連動する第１リンク５および第２リンク６ならびに同第２リンク６の中間部に上端を枢着されたλ型部材８が設けられて、同λ型部材８の前部下端８ｂを弾性的に拘束するバネ９と、λ型部材８の前部下端との一時的な係合によりバネ１５に抗して下方へ駆動されるフランジ１２ａを付設された上下動部材１２が設けられて、同上下動部材１２の上端がピック支持部材１６に対し駆動可能に係合しているので、同ピック支持部材１６の水平状態での弾発的な上下平行移動が、バネ１５の作用を受ける上下動部材１２で駆動されるようにして的確に行われるようになる。
【００２２】
このようにして、ピック支持部材１６はバネ１８ａ，１８ｂに抗し駆動されて、鉛直案内棒１７ａ，１７ｂに沿い水平状態で上下に平行移動するので、同ピック支持部材１６に支持されたピック１９も鍵穴内で上下に平行移動するようになる。これによりシリンダ錠の内部で前後に列設された各ピンタンブラーを、ピック１９でむらなく有効に叩くことができるので、解錠作業が能率よく行われるようになる。
【００２３】
また、本実施形態では、前後一対の鉛直案内棒１７ａ，１７ｂが水平状態のピック支持部材１６における前部竪孔１６ａおよび後部竪孔１６ｂにそれぞれ遊嵌されて、ピック支持部材１６を鉛直案内棒１７ａ，１７ｂに沿い付勢するためのバネ１８ａ，１８ｂが付設されているので、ピック支持部材１６の水平状態での平行移動が引き金４の作動に伴って安定よく確実に行われる利点がある。
【００２４】
【考案の効果】
以上詳述したように、本考案のピックガンによれば、次のような効果が得られる。
（１）　引き金を引くことにより、ピック支持部材が弾性的に駆動されて、案内部材に沿い水平状態で上下に平行移動するので、同ピック支持部材に支持されたピックも鍵穴内で上下に平行移動するようになる。これによりシリンダ錠の内部で前後に列設された各ピンタンブラーを、ピックでむらなく有効に叩くことができるので、解錠作業が能率よく行われるようになる。
（２）　上記案内部材が前後一対の鉛直案内棒として上記本体内に装着され、同鉛直案内棒が上記水平状態のピック支持部材における前部竪孔および後部竪孔にそれぞれ遊嵌されていると、上記ピック支持部材の水平状態での上下平行移動が上記引き金の作動に伴って安定よく確実に行われる利点がある。
（３）　上記ピック支持部材を上記鉛直案内棒に沿い下方へ付勢するバネが設けられることにより、同ピック支持部材の上下平行移動が一層安定よく行われ、使い勝手も向上するようになる。
（４）　上記引き金の作動に伴い連動する第１リンクおよび第２リンクならびに同第２リンクの中間部に上端を枢着されたλ型部材が設けられて、同λ型部材の前部下端を弾性的に拘束するバネと、上記λ型部材の前部下端との一時的な係合によりバネに抗して下方へ駆動されるフランジを付設された上下動部材とを備え、同上下動部材の上端が上記ピック支持部材に対し駆動可能に係合していると、同ピック支持部材の水平状態での上下平行移動が、上記上下動部材で駆動されるようにして的確に行われるようになる。
（５）　上記上下動部材の上端が上記ピック支持部材に結合されている場合は、上記上下動部材の上下平行移動が、さらに的確に行われるようになる利点が得られる。
【図面の簡単な説明】
【図１】本考案の一実施形態としてのピックガンの内部を示す側面図である。
【図２】従来のピックガンの内部を示す側面図である。
【符号の説明】
１　本体
２　握り部
３　支軸
４　引き金
５　第１リンク
６　第２リンク
７　支軸
８　λ型部材
８ａ　λ型部材上端
８ｂ　λ型部材前部下端
９　バネ
１０　支軸
１１　ローラー
１２　上下動部材
１２ａ　フランジ
１４　案内部材
１５　バネ
１６　ピック支持部材
１６ａ　前部竪孔
１６ｂ　後部竪孔
１７ａ，１７ｂ　鉛直案内棒
１８ａ，１８ｂ　バネ
１９　ピック
ａ　ピック
ｂ　止めねじ
ｃ　ピック支持部材
ｄ　本体
ｅ　支軸
ｆ　引き金
ｇ　リンク機構
ｈ　バネ機構
ｋ　駆動棒
Ｆ　フランジ
Ｍ　固定シリンダ
Ｐ　ピストン
【図１】
0003098235.tif 000003
【図２】
0003098235.tif 000004